(57)【特許請求の範囲】
【請求項１】
底壁部に通気孔を有する水切り材と、その通気孔を開閉するシャッターとからなり、シャッターは遮蔽材と取付金具とで構成され、この遮蔽材と取付金具とは、ヒンジ部によって回動自在に結合されており、遮蔽材の接触遮蔽面には弾性材製の気密パッキンが設けられ、また、取付金具は足部を有し、この足部を水切り材の通気孔に挿し込んで取付固定するようになっているシャッター付き水切り材に於いて、
取付金具の足部は弾性材製であると共に、突起を有し、足部を水切り材の通気孔に挿し込んだ際には、足部の弾性と、突起の引っ掛かりとによって、取付金具が水切り材に固定保持されるシャッター付き水切り材。
【請求項２】
底壁部に通気孔を有する水切り材と、その通気孔を開閉するシャッターとからなり、シャッターは遮蔽材と取付金具とで構成され、この遮蔽材と取付金具とは、ヒンジ部によって回動自在に結合されており、遮蔽材の接触遮蔽面には弾性材製の気密パッキンが設けられ、また、取付金具は足部を有し、この足部を水切り材の通気孔に挿し込んで取付固定するようになっているシャッター付き水切り材に於いて、
遮蔽材は係止突部を持った取手部を有し、また、取付金具は係止用突部を持った弾性ロック部を有し、遮蔽材は閉位置で両係止用突起の係合によって固定保持されるシャッター付き水切り材。
【発明の詳細な説明】
【０００１】
【発明の属する技術分野】
こつ発明は、住宅などの建築物の外壁下端縁に取付ける水切り材、特に、底壁部に通気孔を持った防鼠通気式のもののシャッター付き水切り材に関する。
【０００２】
【従来の技術】
一般的な防鼠通気式の水切り材では、通気孔が常時、開放されている為、冬期に寒気が床下などに侵入し、室内の暖房効果を損なうことになる。これを防ぐため、通気孔にシャッターを付設したものは、既に本発明者によって特開平１０−８５７８号として提案されている。このシャッターの構造は、長尺の遮蔽材と、その適所の設けた取付金具とからなり、この取付金具は水切り材の通気孔に挿込んで取付固定するようになっており、また、取付金具と遮蔽材とはヒンジ連結されていて、遮蔽材を回動操作することによって、通気孔を開閉する形式である。
【０００３】
【発明が解決しようとする課題】
ところが前記従来のシャッター付き水切り材では、単に剛性の遮蔽材を水切り材の底壁面に接触させて、通気孔を塞ぐ形式である為、完全な遮蔽ができず、隙間から冷気の侵入を許す結果となる。その上、シャッターの固定は、その取付金具を水切り材の通気孔に挿込んで、単に取付金具の弾性のみによって固定保持する形式である為、保持力が弱くて、しっかりと固定できず、ガタ付きが生じやすくて、これが気密性を一層低下させるようになる。
【０００４】
本発明はこのような点に鑑み、シャッター閉状態での気密性が高いシャッター付き水切り材を提供するにある。また、本発明は、水切り材に対するシャッターの取付状態での安定性がよいシャツター付き水切り材を提供するにある。
【０００５】
【課題を解決するための手段】
本発明のシャッター付き水切り材の技術的手段は、底壁部に通気孔を有する水切り材と、その通気孔を開閉するシャッターとからなり、シャッターは遮蔽材と取付金具とで構成され、この遮蔽材と取付金具とは、ヒンジ部によって回動自在に結合されており、遮蔽材の接触遮蔽面には弾性材製の気密パッキンが設けられ、また、取付金具は足部を有し、この足部を水切り材の通気孔に挿し込んで取付固定するようになっているシャッター付き水切り材に於いて、取付金具の足部は弾性材製であると共に、突起を有し、足部を水切り材の通気孔に挿し込んだ際には、足部の弾性と、突起の引っ掛かりとによって、取付金具が水切り材に固定保持されることにある。
【０００６】
また、本発明のシャッター付き水切り材の技術的手段は、底壁部に通気孔を有する水切り材と、その通気孔を開閉するシャッターとからなり、シャッターは遮蔽材と取付金具とで構成され、この遮蔽材と取付金具とは、ヒンジ部によって回動自在に結合されており、遮蔽材の接触遮蔽面には弾性材製の気密パッキンが設けられ、また、取付金具は足部を有し、この足部を水切り材の通気孔に挿し込んで取付固定するようになっているシャッター付き水切り材に於いて、遮蔽材は係止突部を持った取手部を有し、また、取付金具は係止用突部を持った弾性ロック部を有し、遮蔽材は閉位置で両係止用突起の係合によって固定保持されることにある。
【０００７】
【発明の実施の形態】
本発明のシャッター付き水切り材の実施の形態を、図面の実施例に基づいて説明する。図１は、本発明の水切り材の取付使用状態であり、図中、１は布基礎、２は土台、３は外装材、４は布基礎の前面に形成した化粧モルタル層である。５は布基礎１上面と土台２との間に基礎パッキン（図示せず）を介装することによって形成した換気間隙である。
【０００８】
１０は水切り材で、取付部１１と、雨水案内用傾斜部１２と、前垂れ部１３と、底壁部１４とからなる。この水切り材は通常、薄鋼板、薄アルミニウム板、薄ステンレス板などの薄金属板からの板金加工により、或いはアルミニウム合金や合成樹脂材などの押出加工により製造される。底壁部１４には多数の通気孔１５が穿設されている。この通気孔１５は、充分な通気量が得られ、かつ、ネズミなどの侵入を阻止できるように、孔の大きさや数が設定されている。
【０００９】
通気孔１５には、孔を開閉する為、シャッター２０が取付けられている。シャッター２０は、遮蔽材２１と取付金具３１とからなり、水切り材１０とは別体で、水切り材１０に対して自由に着脱可能である。図示例の遮蔽材２１は長尺材で、断面は略Ｌ字形であり、通常、合成樹脂やアルミニウムで作られる。この遮蔽材２１の接触遮蔽面には、ゴムや発泡合成樹脂などの弾性材製の気密パッキン２３が取付けられている。この為、遮蔽材２１が閉じた時には、水切り材の底壁面１４と密に接触するようになり、通気孔１５を完全に気密閉鎖できるようになる。
【００１０】
遮蔽材２１の一側縁には、断面円形に膨大させた回動支点部２４が形成されていて、取付金具３１とはここで結合されており、遮蔽材２１は取付金具３１に対して回動可能である。また、遮蔽材２１の他の側縁には取手部２５が連設されていて、この取手部２５には係止用突部２６が付いている。
【００１１】
取付金具３１は遮蔽材２１に適当な間隔で取付けられる。この取付金具３１は、鋼板やステンレス鋼板などのような弾性を有する金属板製で、基板３２に連設されたヒンジ部３３と、ロック部３４と、足部３５とからなる。ヒンジ部３３は弧状の押え片で形成され、遮蔽材２１の支点部２４を抱持して、回動自在に支持する。ロック部３４は係止用突部３６を有し、遮蔽材２１の係止用突部２６と弾性係合して、遮蔽材２１を閉位置で固定保持する。足部３５は水切り材１０の通気孔１５に挿込んで、その弾性によって、取付金具３１を水切り材１０に固定保持する。また、足部３５には突起３７が形成されていて、挿込時にこの突起３７が通気孔１５の裏面と係合し、取付金具３１は水切り材１０に対して定位置でしっかりと固定保持されるようになる。
【００１２】
本発明は、前記の実施例に限定されるものではなく、特許請求の範囲の記載の範囲内で自由に変形実施可能である。特に、遮蔽材２１の断面形状や、取付金具３１の詳細な形状は自由である。
【００１３】
【発明の効果】
本発明のシャッター付き水切り材は、シャッターの回動操作によって、通気孔を自由に開閉できるので、例えば、通常は開にしておいて、床下などの換気を図り、冬期などには閉じて、寒気の流入を遮断し、室内の暖房効果の低下を防ぐことができる。更に、シャッターには気密パッキンが付いているので、シャッターを閉じた時に通気孔を気密状に塞ぐことができ、寒気の流入を完全に阻止できて、前記の保温性の確保を一層確実に果すことができる。また、シャッターは水切り材に対して着脱自在であるから、施工上及び使用上において非常に便利である。
【００１４】
請求項１のものは、取付金具の固定保持を、通気孔に挿し込んだ足部の弾性と、突起の引っ掛かりとによって行うので、取付状態では、定位置でしっかりと固定でき、ガタ付きが無くて、極めて安定がよく、その上、取付金具の着脱が簡単にできるなど、実用上の利点が多い。
【００１５】
請求項２のものは、シャッターの開閉操作が簡単で、かつ、閉状態での保持性に優れ、ひとりでに開いたりすることがないので、使用上、有益である。
【図面の簡単な説明】
【図１】本発明のシャッター付き水切り材の使用状態の断面図。
【図２】シャッターの開状態での拡大断面図。
【図３】シャッターの要部の斜視図。
【図４】取付金具の取付状態を示す断面図。
【符号の説明】
１０        水切り材
１４        底壁部
１５        通気孔
２０        シャッター
２１        遮蔽材
２３        気密パッキン
２４        回動支点部
２５        取手部
２６        係止用突部
３１        取付金具
３２        基板
３３        ヒンジ部
３４        ロック部
３５        足部
３６        係止用突部
３７        突起
【図１】
0004755775.tif 000002
【図２】
0004755775.tif 000003
【図３】
0004755775.tif 000004
【図４】
0004755775.tif 000005